(57)【要約】【課題】  フリッカを確実に除去する。【解決手段】  撮像装置１は、光学ブロック１１、ドライバ１１ａ、駆動部１１ｂ、ＣＭＯＳセンサ１２、タイミング発生回路（ＴＧ）１２ａ、アナログフロントエンド（ＡＦＥ）回路１３、映像信号処理回路１４、輝度レベル検出器１５、システムコントローラ１６、操作部１７、グラフィックＩ／Ｆ（インタフェース）１８、およびディスプレイ（画像モニタ）１８ａを具備する。操作部１７は、フレーミングビューモードとプレビューモードとを切り替え可能なスイッチＳＷ１および周波数設定を切り替え可能なスイッチＳＷ２を有しており、ユーザによる入力操作に応じた制御信号をシステムコントローラ１６に出力する。【選択図】  図１
2007060327.tif 000002
【特許請求の範囲】
【請求項１】
撮像素子を用いて画像を撮像する撮像装置において、
撮像手段により得られた映像を表示する画像モニタと、
前記画像モニタに記録前の画像を表示するときに、所定の周波数で点灯する照明下で前記画像モニタ上に生じるフリッカを除去するフリッカ除去モードと撮影時の撮影条件に略等しく設定する撮影モードとを手動で選択する選択手段と、
を有することを特徴とする撮像装置。
【請求項２】
前記フリッカ除去モードは、前記周波数に対応するシャッタ速度が一定値になるように絞り量およびＡＧＣアンプのゲインを制御するモードであることを特徴とする請求項１記載の撮像装置。
【請求項３】
前記選択手段は、手動のスイッチであることを特徴とする請求項１記載の撮像装置。
【請求項４】
前記選択手段は、前記各モードに対応する項目が前記画像モニタに表示された選択画面を有することを特徴とする請求項１記載の撮像装置。
【請求項５】
前記フリッカ除去モードが選択されたとき、絞り量、シャッタ速度およびＡＧＣアンプのゲインの関係が前記周波数に応じて予め設定された複数の周波数モードから１つを手動で選択する周波数選択手段をさらに有することを特徴とする請求項１記載の撮像装置。
【請求項６】
前記周波数選択手段は、手動のスイッチであることを特徴とする請求項５記載の撮像装置。
【請求項７】
前記周波数選択手段は、前記各周波数モードに対応する項目が前記画像モニタに表示された選択画面を有することを特徴とする請求項５記載の撮像装置。
【請求項８】
画像モニタに記録前の画像を表示するときに、所定の周波数で点灯する照明下で前記画像モニタ上に生じるフリッカを除去するフリッカ除去モードを備える撮像装置において、
前記フリッカ除去モードが選択されたとき、絞り量、シャッタ速度およびＡＧＣアンプのゲインの関係が前記周波数に応じて予め設定された複数の周波数モードから１つを手動で選択する周波数選択手段を有することを特徴とする撮像装置。
【発明の詳細な説明】
【技術分野】
【０００１】
本発明は撮像装置に関し、特に撮像素子を用いて画像を撮像する撮像装置に関する。
【背景技術】
【０００２】
昨今のデジタルスチルカメラ（撮像装置）においては、撮影前からユーザがＬＣＤ（Liquid Crystal Display）等のカメラの背面に設置されたパネルにより撮影の準備ができるようになっている。これにより、ユーザは画角や明るさ、ホワイトバランス、フォーカス等多くのことを撮影前に確認することができる。
【０００３】
また、デジタルスチルカメラでは、撮影するモードを、撮影する前にフレーミングを行うフレーミングモード、レリーズボタンを半押しのときのキャプチャ準備モード、撮影を行う撮影モード等、時系列的に分類することができる。
【０００４】
デジタルスチルカメラにおいて明るさを合わせるためには、プログラム線図に沿って、絞り、シャッタ速度、ゲインを選択する。ここで各モードの絞り、シャッタ速度、ゲインは、全て同じプログラム線図に沿って選択されるわけではなく、フレーミングモードの時はフレーミングモードのプログラム線図、キャプチャ準備モードではキャプチャ準備モードのプログラム線図、撮影モードの時は撮影モードのプログラム線図等、モードに応じて複数のプログラム線図からそれぞれ選択される。各モードとも深度を浅くする人物撮影モードや深度を深くする風景モードなど、撮影したい環境に応じてプログラム線図を切り替える。
【０００５】
ところで、商用交流電源により点灯される蛍光灯等の光源の照明下で、被写体をデジタルスチルカメラのモニタ等に表示させると、光源の輝度変化（光量変化）の周波数とカメラの垂直同期周波数との違いによって、モニタ上に明暗の変化、いわゆる蛍光灯フリッカ（以下、単にフリッカという）が生じることが知られている。フリッカが発生すると、モニタの視認性が悪化する。
【０００６】
フリッカが発生するのは、撮影モード以外のときであるため、フレーミングモード、キャプチャ準備モードにおいてフリッカが生じたときは、デジタルスチルカメラが有する制御手段が自動的にフリッカを低減させるフレーミングビューモードを選択する。ところが、フレーミングビューモードは、実際に撮影する時の絞りが設定されていないため、被写界深度などの確認をすることができず、また、撮影前にプログラム線図を切り替えるため、絞りなどを動作させる必要があり、撮影までの遅れが大きいという特徴がある。そのため、撮影時のプログラム線図に近いプログラム線図を撮影前のフレーミングモードやキャプチャ準備モード時に選択できるプレビューモードが別個に用意されている。プレビューモードは撮影前に被写界深度を確認できることができ、撮影前に絞りなどを動かす必要がないためレリースラグも短くできる。しかし、撮影時の絞り、シャッタおよびゲインに近いプログラム線図を選ぶため、撮影時の条件によっては、フリッカが発生する。
【０００７】
このようなフリッカが発生したときは、制御手段がフリッカを低減させるよう動作する（例えば、特許文献１参照）。
【特許文献１】特開２００４−２２２２２８号公報
【発明の開示】
【発明が解決しようとする課題】
【０００８】
しかしながら、このような制御手段を用いた場合においても、状況によっては、フリッカが発生するという問題があった。フリッカが存在した場合、絞り、シャッタおよびゲインを調整することができる専門的な知識がなければ、フリッカを低減させることが難しいという問題があった。さらに、絞り、シャッタおよびゲインを個別に調整することができない機種によっては、制御手段による制御以外にフリッカを低減させる手段が存在しないという問題があった。
【０００９】
本発明はこのような点に鑑みてなされたものであり、フリッカを確実に除去することができる撮像装置を提供することを目的とする。
【課題を解決するための手段】
【００１０】
本発明では、上記問題を解決するために、撮像素子を用いて画像を撮像する撮像装置において、撮像手段により得られた映像を表示する画像モニタと、前記画像モニタに記録前の画像を表示するときに、所定の周波数で点灯する照明下で前記画像モニタ上に生じるフリッカを除去するフリッカ除去モードと撮影時の撮影条件に略等しく設定する撮影モードとを手動で選択する選択手段を有することを特徴とする撮像装置が提供される。
【００１１】
このような撮像装置によれば、選択手段により、画像モニタに記録前の画像を表示するときにフリッカ除去モードが選択されたときは、画像モニタ上に生じるフリッカが除去され、また、撮像モードが選択されたときは、撮影時の撮影条件に略等しく設定される。
【００１２】
また、本発明では、画像モニタに記録前の画像を表示するときに、所定の周波数で点灯する照明下で前記画像モニタ上に生じるフリッカを除去するフリッカ除去モードを備える撮像装置において、前記フリッカ除去モードが選択されたとき、絞り量、シャッタ速度およびＡＧＣアンプのゲインの関係が前記周波数に応じて予め設定された複数の周波数モードから１つを手動で選択する周波数選択手段を有することを特徴とする撮像装置が提供される。
【００１３】
このような撮像装置によれば、フリッカ除去モードが選択されると、複数の周波数モードから１つの周波数モードを手動で選択することができる。
【発明の効果】
【００１４】
本発明では、フリッカ除去モードと撮影モードを手動で選択することができるため、使用環境や状況等に応じて容易にモードを選択することができる。
また、フリッカ除去モードが選択されたときは、画像モニタに記録前の画像を表示するときに、画像モニタ上に生じるフリッカを容易かつ確実に除去することができ、視認性を容易かつ確実に向上させることができる。また、撮像モードが選択されたときは、迅速に撮影を行うことができる。
【００１５】
また、フリッカ除去モードが選択されると、複数の周波数モードから１つの周波数モードを手動で選択することができる。これにより、フリッカをより確実に除去することができる。
【発明を実施するための最良の形態】
【００１６】
以下、本発明の実施の形態を、図面を参照して詳細に説明する。
図１は、本発明の実施の形態に係る撮像装置の要部構成を示すブロック図である。
図１に示す撮像装置１は、光学ブロック１１、ドライバ１１ａ、駆動部１１ｂ、ＣＭＯＳ（Complementary Metal Oxide Semiconductor）型イメージセンサ（以下、ＣＭＯＳセンサという）１２、タイミング発生回路（ＴＧ）１２ａ、アナログフロントエンド（ＡＦＥ）回路１３、映像信号処理回路１４、輝度レベル検出器１５、システムコントローラ１６、操作部１７、グラフィックＩ／Ｆ（インタフェース）１８、およびディスプレイ（画像モニタ）１８ａを具備する。
【００１７】
光学ブロック１１は、被写体からの光をＣＭＯＳセンサ１２に集光するためのレンズ、レンズを移動させてフォーカス合わせやズーミングを行うための駆動機構、シャッタ機構、アイリス機構などを具備している。
【００１８】
ドライバ１１ａは、システムコントローラ１６からの制御信号に基づいて、絞り駆動等、光学ブロック１１内の各機構の駆動を制御する駆動信号を出力する。
駆動部１１ｂは、ドライバからの駆動信号を受けて、光学ブロック１１の駆動機構を駆動する。
【００１９】
ＣＭＯＳセンサ１２は、ＣＭＯＳ基板上に、フォトダイオード（フォトゲート）、転送ゲート（シャッタトランジスタ）、スイッチングトランジスタ（アドレストランジスタ）、増幅トランジスタ、リセットトランジスタ等で構成される複数の画素が２次元状に配列されて形成されると共に、垂直走査回路、水平走査回路、画像信号の出力回路等が形成されたものであり、ＴＧ１２ａから出力されるタイミング信号に基づいて駆動され、被写体からの入射光を電気信号に変換する。ＴＧ１２ａは、システムコントローラ１６の制御の下で電子シャッタを制御するタイミング信号を出力する。
【００２０】
ＡＦＥ回路１３は保持・利得制御回路１３１およびＡ／Ｄ（Analog／Digital）変換回路（Ａ／Ｄ）１３２を有している。ＡＦＥ回路１３は、例えば１つのＩＣ（Integrated Circuit）として構成され、ＣＭＯＳセンサ１２から出力された画像信号に対して、保持・利得制御回路１３１がＣＤＳ（Correlated Double Sampling）処理によりＳ／Ｎ（Signal／Noise）比を良好に保つようにサンプルホールドを行い、さらにＡＧＣ（Auto Gain Control）処理により利得（ゲイン）を制御する。また、Ａ／Ｄ変換回路１３２がＡ／Ｄ変換を行い、デジタル画像信号を出力する。なお、ＣＤＳ処理を行う回路は、ＣＭＯＳセンサ１２と同一基板上に形成されてもよい。
【００２１】
映像信号処理回路１４は、例えば１つのＩＣとして構成され、ＡＦＥ回路１３からの画像信号に対するＡＦ（Auto Focus）、ＡＥ（Auto Exposure）、ホワイトバランス調整などの各種カメラ信号処理、またはその処理の一部を実行する。
【００２２】
また、映像信号処理回路１４には、映像信号から抽出される所定画像領域の輝度信号の積分値を輝度レベルとして検出する輝度レベル検出器１５が接続されている。
システムコントローラ１６は、例えば、ＣＰＵ（Central Processing Unit）、ＲＯＭ（Read Only Memory）、ＲＡＭ（Random Access Memory）などから構成されるマイクロコントローラであり、ＲＯＭなどに記憶されたプログラムを実行することにより、この撮像装置の各部を統括的に制御する。
【００２３】
また、システムコントローラ１６は、露出制御回路１６１とデバイス制御回路１６２とを有している。
露出制御回路１６１は、輝度レベル検出器１５から出力された輝度レベルに基づいて、適正な露出が行われているか否かを判断し、得られる判断データに基づいて、各デバイスの制御データ、すなわち、アイリス機構の開口度データ、ＣＭＯＳセンサ１２の電子シャッタ量データ、および保持・利得制御回路１３１の利得データを演算する。
【００２４】
また、露出制御回路１６１は、輝度レベル検出器１５から検出される輝度レベルに基づいて、露出制御を行う場合に必要な各種のデータが書き込まれ、また、読み出されるＲＡＭを有している。
【００２５】
デバイス制御回路１６２は、露出制御回路１６１から出力される信号を入力し、絞り駆動を制御するドライバ１１ａに出力する。
また、デバイス制御回路１６２には、保持・利得制御回路１３１が電気的に接続されている。
【００２６】
操作部１７は、後述するフレーミングビューモードとプレビューモードとを切り替え可能なスイッチＳＷ１および周波数設定を切り替え可能なスイッチＳＷ２を有しており、ユーザによる入力操作に応じた制御信号をシステムコントローラ１６に出力する。操作部１７は、その他に、例えばシャッタレリーズボタンなどの各種操作キーやレバー、ダイヤルなどを有している。ここで、スイッチＳＷ２は、交流電源周波数が５０Ｈｚの場合に対応する５０Ｈｚモード、交流電源周波数が６０Ｈｚの場合に対応する６０Ｈｚモードおよびシステムコントローラ１６が自動的に周波数を判断するオートモードに切り替えることができる。なお、スイッチＳＷ１は、初期設定ではプレビューモードに設定されている。また、スイッチＳＷ２は初期設定ではオートモードに設定されている。
【００２７】
グラフィックＩ／Ｆ１８は、映像信号処理回路１４からシステムコントローラ１６を介して供給された画像信号から、ディスプレイ１８ａに表示させるための画像信号を生成して、この信号をディスプレイ１８ａに供給し、画像を表示させる。ディスプレイ１８ａは、例えば、ＬＣＤからなり、撮像中のカメラスルー画像や図示しない記録媒体に記録されたデータに基づく再生画像などを表示する。
【００２８】
この撮像装置１では、ＣＭＯＳセンサ１２によって受光されて光電変換された信号が、順次ＡＦＥ回路１３に供給され、ＣＤＳ処理やＡＧＣ処理が施された後、デジタル信号に変換される。映像信号処理回路１４は、ＡＦＥ回路１３から供給されたデジタル画像信号を画質補正処理し、最終的に輝度信号（Ｙ）と色差信号（Ｒ−Ｙ，Ｂ−Ｙ）に変換して出力する。
【００２９】
映像信号処理回路１４から出力された画像データは、システムコントローラ１６を介してグラフィックＩ／Ｆ１８に供給されて表示用の画像信号に変換され、これによりディスプレイ１８ａにカメラスルー画像が表示される。また、操作部１７からのユーザの入力操作などによりシステムコントローラ１６に対して画像の記録が指示されると、映像信号処理回路１４からの画像データは図示しないエンコーダに供給され、所定の圧縮符号化処理が施されて図示しない記録媒体に記録される。静止画像の記録の際には、映像信号処理回路１４からは１フレーム分の画像データがエンコーダに供給され、動画像の記録の際には、処理された画像データがエンコーダに連続的に供給される。
【００３０】
以上の構成からなるデジタルカメラ１は、周波数をｆ［Ｈｚ］とすると、シャッタスピードが１／（ｆ＊２）と同じか、それより遅いときはＮ／（ｆ＊２）（Ｎは整数）のシャッタスピードにするフレーミングビューモードと、撮影時のプログラム線図に近いプログラム線図を撮影前のフレーミングモードやキャプチャ準備モードに設定するプレビューモードとを有している。
【００３１】
フレーミングビューモードはフリッカを低減（除去）できるが、実際に撮影する時の絞りが設定されていないため、被写界深度などの確認をすることはできない。また、撮影前にプログラム線図を切り替えるため、絞りなどを動作させる必要があり、撮影までの遅れが大きい。一方、プレビューモードは撮影前に被写界深度を確認できることができ、撮影前に絞りなどを動かす必要がないためレリースラグも短くできる。しかし、撮影時の絞り、シャッタおよびゲインに近いプログラム線図を選択するため、撮影時のシャッタスピードがＮ／（ｆ＊２）でない場合、フリッカが発生する。このため、ユーザにフリッカによる視認性の悪さを強いることになる。
【００３２】
次に、フレーミングビューモードおよびプレビューモードのプログラム線図について説明する。
図２は、６０Ｈｚモードのフレーミングビューモードのプログラム線図であり、図３は、５０Ｈｚモードのフレーミングビューモードのプログラム線図である。
【００３３】
図２、図３および後述する図５においては、右側が明るく（露出係数ＥＶが大きく）、左側が暗く（露出係数ＥＶが小さく）なった時の絞り、シャッタおよびゲインのとる値を示している。
【００３４】
図２および図３に示すプログラム線図では例として、絞りはＦ２．８〜Ｆ１６、シャッタは１／８〜１／２０００、ゲイン（ＡＧＣゲイン）はＩＳＯ１００〜ＩＳＯ３２０を制御範囲とし、絞り、シャッタおよびゲインが互いに関連づけられている。
【００３５】
以下、代表的に６０Ｈｚモードのフレーミングビューモードのプログラム線図について説明する。
６０Ｈｚモードのフレーミングビューモードのプログラム線図においては、４．５≦ＥＶ＜６のときは、ゲインをＩＳＯ１００〜ＩＳＯ３２０にすることによって調整を行い、絞りはＦ２．８に固定であり、シャッタスピードは１／８に固定である。６≦ＥＶ＜８のときは、シャッタスピードを１／８〜１／３０にすることによって調整を行い、絞りはＦ２．８に固定であり、ゲインはＩＳＯ１００に固定である。８≦ＥＶ＜１０のときはゲインをＩＳＯ１００〜ＩＳＯ２００にすることによって調整を行い、絞りはF２．８に固定であり、シャッタスピードは１／６０（８≦ＥＶ＜９）、１／１２０（９≦ＥＶ＜１０）にそれぞれ固定である。１０≦ＥＶ＜１５のときは、絞りをＦ２．８〜Ｆ１６にすることによって調整を行い、シャッタスピードは１／１２０に固定であり、ゲインはＩＳＯ１００に固定である。１５≦ＥＶ≦１９のときは、シャッタスピードを１／１２０〜１／２０００にすることにより調整を行い、絞りはＦ１６に固定であり、ゲインはＩＳＯ１００に固定である。このように、調整している部位以外の部位は、固定になる。
【００３６】
図４は、撮像装置により蛍光灯照明下で撮影した場合のシャッタスピードとフリッカレベルとの関係を示すグラフである。
このグラフでは、交流電源周波数が５０Ｈｚの地域における非インバータ方式の蛍光灯照明下で撮影した場合のフリッカレベルとシャッタスピードとの関係についてコンピュータシミュレーションを行った結果を示している。
【００３７】
シャッタスピードとフリッカレベルには関連性があり、交流電源周波数が５０Ｈｚ（６０Ｈｚ）のとき、特にシャッタスピードがＮ／１００（Ｎ／１２０）（Ｎは整数）の場合には、フリッカの発生を防止または低減させることができる。
【００３８】
システムコントローラ１６は、交流電源周波数が５０Ｈｚのときは、シャッタスピードをＮ／１００に固定する期間を長くし、交流電源周波数が６０Ｈｚのときは、シャッタスピードをＮ／１２０に固定する期間を長くすることで、フリッカの発生を防止または低減させることができる範囲（ＥＶ）を広くする。具体的には５０Ｈｚ地域では、シャッタスピードが１／１００では速すぎるとき、すなわち、周りが暗いときはＮ／１００、６０Ｈｚ地域ではシャッタスピードが１／１２０では速すぎるとき、すなわち、周りが暗いときはＮ／１２０に設定するように、絞りおよびゲインを調整する。これにより、フリッカの発生が防止または低減される。フリッカはシャッタスピードが遅い時は目立たないため、ある程度低速では必ずしも、この離散値をとる必要はない。
【００３９】
図５は、プレビューモードのプログラム線図である。
図５に示すプレビューモードのプログラム線図は、実際に撮影を行う撮影モードのプログラム線図に等しく、撮影モードのプログラムに対応している。
【００４０】
図５のプレビューモードのプログラム線図は、オートモードのプログラム線図を示している。ポートレートモードのように被写界深度を浅くしたい場合は同じ明るさを得るために絞りをより開放側にし、風景モードのように被写界深度を深くしたい場合は絞りをより小絞り側にする。
【００４１】
次に、撮像装置１のプログラム線図の選択動作について説明する。
システムコントローラ１６は、以下の動作を操作部１７の操作があったときに実行する。
【００４２】
図６は、プログラム線図の選択動作を示すフローチャートである。
まず、システムコントローラ１６は、スイッチＳＷ１がフレーミングビューモードに設定されているか否かを判断する（ステップＳ１）。フレーミングビューモードに設定されてない場合（ステップＳ１のＮｏ）、システムコントローラ１６は、プレビューモードに設定されていると判断し、プレビューモードのプログラム線図を選択する（ステップＳ２）。その後、プログラム線図の選択動作を終了する。
【００４３】
一方、フレーミングビューモードに設定されている場合（ステップＳ１のＹｅｓ）、スイッチＳＷ２がオートモードに設定されているか否かを判断する（ステップＳ３）。
スイッチＳＷ２がオートモードに設定されている場合（ステップＳ３のＹｅｓ）、システムコントローラ１６は、周りで使用されている交流電源周波数を自動検出し、５０ＨＺモードのフレーミングビューモードのプログラム線図または６０ＨＺモードのフレーミングビューモードのプログラム線図を選択する（ステップＳ４）。その後、プログラム線図の選択動作を終了する。
【００４４】
一方、スイッチＳＷ２がオートモードに設定されていない場合（ステップＳ３のＮｏ）、スイッチＳＷ２が５０Ｈｚモードに設定されているか否かを判断する（ステップＳ５）。スイッチＳＷ２が５０Ｈｚモードに設定されている場合（ステップＳ５のＹｅｓ）、システムコントローラ１６は、５０ＨＺモードのフレーミングビューモードのプログラム線図を選択する（ステップＳ６）。その後、プログラム線図の選択動作を終了する。一方、スイッチＳＷ２が５０Ｈｚモードに設定されていない場合（ステップＳ５のＮｏ）、システムコントローラ１６は、６０ＨＺモードのフレーミングビューモードのプログラム線図を選択する（ステップＳ７）。その後、プログラム線図の選択動作を終了する。
【００４５】
その後、システムコントローラ１６は、選択されたプログラム線図に従ってドライバ１１ａに制御信号を出力する。
以上述べたように、撮像装置１によれば、フレーミングビューモードとプレビューモードとを手動で選択することができるため、使用環境や状況等に応じて容易にモードを選択することができる。これにより、フリッカが生じた場合においても、フリッカを容易かつ確実に除去することができる。
【００４６】
また、フレーミングビューモードが選択されると、オートモード、５０Ｈｚモードおよび６０Ｈｚモードから１つの周波数モードを手動で選択することができる。これにより、フリッカをより確実に除去することができる。
【００４７】
具体的にはインバータ機構を用いない蛍光灯下等、フリッカの影響が大きい場所ではフリッカの発生しないフレーミングビューモードを手動で選択することにより、５０Ｈｚモードのフレーミングビューモードでは１５ＥＶ程度まで、６０Ｈｚモードのフレーミングビューモードでは１４．７ＥＶ程度まで、フリッカの発生を確実に防止または低減させることができる。通常、室内の明るさは高々１０ＥＶ程度であるため、フリッカの影響が殆ど発生しない屋外での撮影には、プレビューモードを手動で選択することにより、略全ての明るさにおいて、フリッカの発生を防止または低減させることができる。これによりフリッカが略完全に除去され、よってフリッカの影響が大きい場所では、視認性を容易かつ確実に向上させることができる。また、フリッカの影響が殆ど発生しない場所では被写界深度などを容易に確認することができ、レリースラグも短くすることができる。これによりシャッターチャンスに迅速に対応することができる。
【００４８】
以上、本発明の撮像装置を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。例えば、ユーザが誤ってスイッチＳＷ１、ＳＷ２を切り替えることを防止する防止手段を備えていてもよいし、スイッチＳＷ１、ＳＷ２を切り替えたことを音声や光等で報知する報知手段を備えていてもよい。
【００４９】
なお、本実施の形態では、モードを切り替える際、スイッチＳＷ１、ＳＷ２を用いたが、これに限らず、例えば、ディスプレイ１８ａに選択画面を表示させて、ユーザが操作部１７を操作することによりモードを切り替えるよう構成されていてもよい。
【００５０】
図７は、周波数モードの選択をディスプレイに表示させる例を示す図である。
この画面では、設定項目が一覧表示された周波数モード設定画面（選択画面）３５ａが表示され、ユーザは、操作部１７を操作することにより、カーソル３６の位置を移動させ、決定することで、設定対象項目を選択する。
【００５１】
また、本実施の形態では、固定撮像素子としてＣＭＯＳセンサ１２を用いたが、これに限らず、例えば、ＣＣＤ（Charged Coupled Device）等の他の固定撮像素子を用いてもよい。
【００５２】
また、本発明の撮像装置は、デジタルビデオカメラ、デジタルスチルカメラ等の静止画像または動画像の撮像装置等に適用することができる。
【図面の簡単な説明】
【００５３】
【図１】本発明の実施の形態に係る撮像装置の要部構成を示すブロック図である。
【図２】６０Ｈｚモードのフレーミングビューモードのプログラム線図である。
【図３】５０Ｈｚモードのフレーミングビューモードのプログラム線図である。
【図４】撮像装置により蛍光灯照明下で撮影した場合のシャッタスピードとフリッカレベルとの関係を示すグラフである。
【図５】プレビューモードのプログラム線図である。
【図６】プログラム線図の選択動作を示すフローチャートである。
【図７】周波数モードの選択をディスプレイに表示させる例を示す図である。
【符号の説明】
【００５４】
１・・・撮像装置、１３１・・・保持・利得制御回路、１７・・・操作部、１８ａ・・・ディスプレイ、ＳＷ１、ＳＷ２・・・スイッチ
【図１】
2007060327.tif 000003
【図２】
2007060327.tif 000004
【図３】
2007060327.tif 000005
【図４】
2007060327.tif 000006
【図５】
2007060327.tif 000007
【図６】
2007060327.tif 000008
【図７】
2007060327.tif 000009
【手続補正書】
【提出日】平成17年9月8日(2005.9.8)
【手続補正１】
【補正対象書類名】図面
【補正対象項目名】図２
【補正方法】変更
【補正の内容】
【図２】
2007060327.tif 000010
【手続補正２】
【補正対象書類名】図面
【補正対象項目名】図３
【補正方法】変更
【補正の内容】
【図３】
2007060327.tif 000011